(57)【要約】      （修正有）【課題】収納物の収納後にも容易に内容物の把握が可能な収納箱及び収納物管理システムを提供する。【解決手段】収納箱１は、収納物２を収納する収納空間４を内部に備える箱体３と、収納空間４に設けられ、収納物２を減圧圧縮可能な圧縮袋５とを備え、箱体３の外面に、収納物２に関する情報をネットワークを介して取得可能な収納箱管理サイトへのアクセス情報識別子を含む二次元コード７が配置される。収納物管理システムは、携帯端末で二次元コード７を読み取り、アクセスしたサイトにユーザが収納物に関する情報を入力及び閲覧することができる。【選択図】図１
0003231811.tif 000002
【実用新案登録請求の範囲】
【請求項１】
収納物を収納する収納空間を内部に備える箱体と、前記収納空間に設けられ、前記収納物を減圧圧縮可能な圧縮袋とを備える収納箱であって、
前記箱体の外面に、前記収納物に関する情報をネットワークを介して取得可能なサイトへのアクセス情報識別子を含む二次元コードが配置されることを特徴とする収納箱。
【請求項２】
請求項１に記載の収納箱に収納された前記収納物を携帯端末を用いて管理する収納物管理システムであって、
前記携帯端末は、前記二次元コードを読み取り可能な読取手段を備え、
前記二次元コードを前記携帯端末の前記読取手段で読み取ると、前記二次元コードに記憶された前記アクセス情報識別子に基づき、前記ネットワークを介して前記サイトに接続し、
前記サイトは、ユーザが、前記収納物に関する情報の入力及び閲覧を行うことが可能であり、
前記情報は、前記ネットワーク上のクラウドサーバに記憶されることを特徴とする収納物管理システム。
【請求項３】
前記クラウドサーバは、記憶された前記情報の管理期限日を、予め設定された管理期限から算出し、算出された前記管理期限日が近づいたことを、前記ユーザに対し、前記管理期限の終了までに少なくとも１回通知することを特徴とする請求項２に記載の収納物管理システム。
【考案の詳細な説明】
【技術分野】
【０００１】
本考案は、衣服、毛布、布団等を減圧圧縮して収納する収納箱及び収納箱に収納された収納物の収納物管理システムに関する。
【背景技術】
【０００２】
一般に、畳まれた衣服、毛布、布団等の収納物を収納するために、衣装ケース等の収納箱が用いられている。また、多量の収納物を収納箱に収納するため収納物を収容した収納袋を脱気圧縮してコンパクトにすることで、非圧縮時と比べて多量の収納物を収納可能とする圧縮収納箱が知られている（特許文献１）。
【先行技術文献】
【特許文献】
【０００３】
【特許文献１】実用新案登録第３１５５７９８号公報
【考案の概要】
【考案が解決しようとする課題】
【０００４】
しかし、特許文献１で開示されるような圧縮収納箱は、大量の収納物を収納可能である一方、収納物を圧縮収納してしまうと、圧縮収納箱内にどのような収納物が収納されているかを外部から把握することが難しい。
【０００５】
そこで本考案では、収納物の収納後にも容易に内容物の把握が可能な収納箱及び収納物管理システムの提供を目的とする。
【課題を解決するための手段】
【０００６】
上記目的を達成するために、請求項１に記載の考案は、収納物を収納する収納空間を内部に備える箱体と、収納空間に設けられ、収納物を減圧圧縮可能な圧縮袋とを備える収納箱であって、箱体の外面に、収納物に関する情報をネットワークを介して取得可能なサイトへのアクセス情報識別子を含む二次元コードが配置されることを特徴とする。
請求項２に記載の考案は、請求項１に記載の収納箱に収納された収納物を携帯端末を用いて管理する収納物管理システムであって、携帯端末は、二次元コードを読み取り可能な読取手段を備え、二次元コードを携帯端末の読取手段で読み取ると、二次元コードに記憶されたアクセス情報識別子に基づき、ネットワークを介してサイトに接続し、サイトは、ユーザが、収納物に関する情報の入力及び閲覧を行うことが可能であり、情報は、ネットワーク上のクラウドサーバに記憶されることを特徴とする。
請求項３に記載の考案は、上記構成に加え、クラウドサーバは、記憶された情報の管理期限日を、予め設定された管理期限から算出し、算出された管理期限日が近づいたことを、ユーザに対し、管理期限の終了までに少なくとも１回通知することを特徴とする。
【考案の効果】
【０００７】
本考案によれば、収納箱内に減圧圧縮して収納した収納物を収納箱外に取り出すことなく、収納箱内に収納された収納物が何かを判別できる。また、携帯端末による収納物の情報管理が可能となる。
【図面の簡単な説明】
【０００８】
【図１】本考案の収納箱を示す説明図である。
【図２】本考案の収納物管理システムを示すブロック図である。
【図３】本考案の収納物管理システムにおける収納箱管理サイトに収納物に関する情報を入力するためのフローチャートである。
【図４】携帯端末上に表示される収納箱管理サイトの画面を示す説明図であって、（ａ）はログインページ、（ｂ）はトップページである。
【図５】携帯端末上に表示される収納箱管理サイトの画面を示す説明図であって、（ａ）はフォルダ作成ページ、（ｂ）は収納物管理ページである。
【図６】携帯端末上に表示される収納箱管理サイトの画面を示す説明図であって、（ａ）は付帯情報管理ページ、（ｂ）は記憶された情報を閲覧する際の収納物管理ページである。
【考案を実施するための形態】
【０００９】
以下、本考案の実施例の形態を図面に基づいて説明する。
図１は、本考案の収納箱を示す説明図である。
収納箱１は、図１に示すように、収納物２を収納する収納空間４を内部に備える箱体３を備える。箱体３には、スライドファスナ６が、収納空間４を開閉可能に設けられる。収納空間４には、圧縮袋５が設けられ、圧縮袋５に収納した収納物２を減圧圧縮可能となっている。
収納箱１への収納物２の収納は、まず、収納物２を圧縮袋５に収納し、その後、圧縮袋５を掃除機等の減圧手段を用いて減圧圧縮する。圧縮袋５を減圧圧縮することにより、収納物２の体積を減少させられるため、収納空間４の容積以上の体積の収納物２を収納空間４に収納できる。その後、箱体３に設けられたスライドファスナ６によって収納空間４を閉じることで、収納箱１に収納物２を完全に収納できる。
また、箱体３の外面には、二次元コード７が配置されている。二次元コード７は、収納物２に関する情報をインターネット等のネットワークを介して取得可能な収納箱管理サイト９（図２）へのアクセス情報識別子を含む。
【００１０】
続いて、本考案の収納箱に収納した収納物を管理する収納物管理システムについて説明する。
図２は、本考案の収納物管理システムを示すブロック図である。図３は、本考案の収納物管理システムにおける収納箱管理サイトに収納物に関する情報を入力するためのフローチャートである。図４，５，６は、携帯端末上に表示される収納箱管理サイトの画面を示す説明図であって、図４（ａ）はログインページ、図４（ｂ）はトップページ、図５（ａ）はフォルダ作成ページ、図５（ｂ）は収納物管理ページ、図６（ａ）は付帯情報管理ページ、図６（ｂ）は記憶された情報を閲覧する際の収納物管理ページである。
収納箱１に収納した収納物２を管理する収納物管理システムは、図２に示すように、収納箱１と、収納箱１に配置された二次元コード７を読み取り可能な読取手段８ａを備えるスマートフォン等の携帯端末８と、ネットワーク上に構築された収納箱管理サイト９と、収納箱管理サイト９において入力された情報の記憶及び出力を行うネットワーク上のクラウドサーバ１０とを備える。
【００１１】
次に、図３に示すフローチャートを用いて、収納物管理システムを用いた収納箱に収納した収納物の管理手順について説明する。
始めに、ユーザは、収納箱１に配置された二次元コード７を携帯端末８の読取手段８ａを用いて読み込む。これにより、二次元コード７から収納箱管理サイト９へのアクセス情報識別子を抽出し、ネットワークを介して収納箱管理サイト９へアクセスする（アクセスステップＳ１）。
【００１２】
携帯端末８の読取手段８ａを用いて二次元コード７を読み込み、収納箱管理サイト９にアクセスすると、まず、図４（ａ）に示すような、ログイン画面が立ち上がる。本実施例において、ログイン画面で、ユーザは、ユーザの持つメールアドレスの入力を求められる。ユーザは、メールアドレス入力欄に所定のメールアドレスを入力し、メールアドレス入力欄の下方に配置されたメール送信ボタンを操作して、入力したメールアドレスをクラウドサーバ１０に送信する。初回アクセスの場合、ユーザによってメールアドレスが送信されると、クラウドサーバ１０は、入力されたメールアドレスに対応する収納箱管理サイト９のユーザ個人用ページを生成し、そのＵＲＬ（Ｕｎｉｆｏｒｍ  Ｒｅｓｏｕｒｃｅ  Ｌｏｃａｔｏｒ）が記載されたメールを入力されたメールアドレスへ送信する。２回目以降のアクセスでは、クラウドサーバ１０は、入力されたメールアドレスに対応する収納箱管理サイト９のユーザ個人用ページのトップページのＵＲＬが記載されたメールを入力されたメールアドレスに送信する。そして、ユーザは、受信したメールに記載されたＵＲＬに接続することで、収納箱管理サイト９のユーザ個人用ページのトップページにアクセスする。
【００１３】
次に、ユーザは、トップページにおいて、管理する収納箱１に対応するフォルダを作成する（フォルダ作成ステップＳ２）。
【００１４】
ユーザは、アクセスステップＳ１において受信したメールに記載されたＵＲＬに接続し、図４（ｂ）に示すような、トップページにアクセスする。そして、トップページの画面中央付近の収納箱追加ボタンを操作し、図５（ａ）に示すような、フォルダ作成ページにアクセスする。その後、ユーザは、フォルダ作成ページで、名称入力欄にフォルダの名称を入力し、名称入力欄の下方にあるフォルダ作成ボタンを操作する。これにより、収納箱１に対応するフォルダボタンがトップページに作成される。なお、図４（ｂ）は、名称として、「冬物衣類５０枚」と入力したフォルダボタンが作成された状態を示している。初回アクセス時は、収納箱追加ボタンのみがトップページに表示される。
また、ユーザは、トップページに、複数の収納箱１それぞれに対応するフォルダボタンを複数作成することが可能であり、その場合、作成済みのフォルダボタン（ここでは冬物衣類５０枚と記載されたフォルダボタン）の下方にある収納物追加ボタンを操作し、フォルダ作成ステップＳ２操作を繰り返すことで、管理する他の収納箱１に対応するフォルダを追加できる。複数の収納箱１を作成した場合、複数のフォルダボタンが一覧として表示され、各ボタンそれぞれに対応する収納箱１の名称が記載される。
ユーザは、トップページに表示される収納箱１の名称が記載されたフォルダボタンを操作することで、それぞれのフォルダボタンに対応する各収納箱１の収納物管理ページにアクセスする。
【００１５】
続いて、ユーザは、図５（ｂ）に示すような、収納箱管理サイト９のユーザ個人ページの収納物管理ページにおいて、フォルダ作成ステップＳ２で作成した収納箱１に収納する収納物２の情報を入力する（収納物情報入力ステップＳ３）。
【００１６】
ユーザは、収納物管理ページにおいて、収納箱１に収納する収納物２の画像情報を入力する。収納物２の画像情報は、図５（ｂ）に示す収納物管理ページに表示されたカメラボタンを操作して携帯端末８のカメラ機能を利用して撮影する、又はカメラボタンの隣に表示されたアルバムボタンを操作して携帯端末８内に保存された画像情報を選択することで取得される。なお、取得された画像情報は、自動的に、クラウドサーバ１０に記憶され、取得の都度、図６（ｂ）に示すように、取得された画像情報が収納物管理ページに追加表示される。
【００１７】
また、ユーザは、メモボタンを操作することで、図６（ａ）に示すような、収納箱管理サイト９のユーザ個人ページに作成した収納箱１に対応するフォルダの付帯情報管理ページにアクセスできる。ユーザは、付帯情報管理ページにおいて、収納箱１に関する付帯情報を入力する。なお、本実施例の付帯情報管理ページでは、収納箱１の付帯情報として、収納箱作成日、及びメモの入力が可能である。
ユーザは、付帯情報管理ページにおいて、収納箱作成日欄に、収納箱１に対応するフォルダの作成日を入力する。収納箱作成日欄に入力するフォルダの作成日は、フォルダ作成ステップＳ２を行った日付であっても良いし、例えば、後日、収納箱１に新たな収納物２を収納する等した日付であっても良く、更新が可能である。
一方、収納箱作成日欄の下方にある管理期限欄には、クラウドサーバ１０に記憶された収納箱１に収納された収納物２の画像情報及び付帯情報の管理期限日が表示される。この管理期限日は、クラウドサーバ１０が、予め設定された管理期限（例えば３年）を用いて、ユーザがフォルダ作成ステップＳ２を行った日付から管理期限日を算出し、クラウドサーバ１０により自動的に入力及び表示される。また、クラウドサーバ１０は、算出された管理期限日の半年前、１ヶ月前、及び当日に、アクセスステップＳ１で入力されたメールアドレスへ、クラウドサーバ１０に記憶された収納箱１に収納された収納物２の画像情報及び付帯情報の管理期限が近づいた旨が記載されたリマインドメールを送信し、ユーザへの管理期限の通知を行う。これにより、ユーザが、収納物管理システムを用いて収納箱１に収納された収納物２の管理ができなくなるような事態を防ぐことができる。
また、ユーザは、管理期限欄の下方にあるメモ欄に、収納箱１に収納された収納物２に関する付帯情報等を入力することができる。メモ欄に入力された情報は、収納物管理ページのメモボタン上に表示される。即ち、ここでは、メモ欄への記載例として、「クリーニング済み」と入力したが、これにより、図６（ｂ）に示すように、図５（ｂ）に示すメモボタン上の「メモ」の表示が「クリーニング済み」に更新される。なお、ユーザは、メモ欄を空欄としても良い。その場合、収納物管理ページのメモボタン上には「メモ」と表示される。収納箱作成日欄及びメモ欄に入力された情報は、ユーザが保存ボタンを操作することで、クラウドサーバ１０に記憶される。
【００１８】
上述のように、一度、収納箱管理サイト９への情報入力を完了すると、次回以降、アクセスステップＳ１を行うことで、ユーザは、収納箱１の収納物２に関する情報が記憶されたユーザ個人の収納箱管理サイト９に容易にアクセスが可能である。ユーザ個人の収納箱管理サイト９では、ユーザは、各収納箱１に対応するフォルダボタンを操作することでアクセスできるそれぞれの収納箱１の収納物管理ページにおいて、クラウドサーバ１０に記憶された収納箱１に収納された収納物２に関する情報を閲覧できる。収納物管理ページでは、図６（ｂ）に示すように、クラウドサーバ１０に記憶された画像情報が、カメラボタン及びアルバムボタンと並んで表示されるため、容易に収納箱１に収納された収納物２の管理ができる。
このように、携帯端末８を用いて容易にアクセス可能であり、収納箱１に収納された収納物２の画像情報及び付帯情報を管理可能な収納箱管理サイト９を用いることで、収納箱１内に減圧圧縮して収納した収納物２を収納箱１外に取り出すことなく、収納箱１内に収納された収納物２が何かを判別できる。また、携帯端末による収納物の情報管理が可能となる。加えて、アクセスステップＳ１において、入力したメールアドレスとユーザ個人の収納箱管理サイト９とが、クラウドサーバ１０で紐付いており、ユーザ個人の収納箱管理サイト９にアクセスするためには、クラウドサーバ１０から送信されるユーザ個人の収納箱管理サイト９のＵＲＬが記載されたメールを経由する必要があるため、プライバシーを保護できる。
【００１９】
上記形態の収納箱１は、収納物２を収納する収納空間４を内部に備える箱体３と、収納空間４に設けられ、収納物２を減圧圧縮可能な圧縮袋５とを備え、箱体３の外面に、収納物２に関する情報をネットワークを介して取得可能な収納箱管理サイト９へのアクセス情報識別子を含む二次元コード７が配置される。
このように構成される収納箱１は、収納箱１に収納された収納物２に関する情報を取得可能な収納箱管理サイト９に、収納箱１の外面に配置された二次元コード７を読み込むだけでアクセスできるため、容易に収納箱１に収納された収納物２の管理ができる。
【００２０】
また、収納箱１に収納された収納物２を携帯端末８を用いて管理する収納物管理システムにおいて、携帯端末８は、二次元コード７を読み取り可能な読取手段８ａを備え、二次元コード７を携帯端末８の読取手段８ａで読み取ると、二次元コード７に記憶されたアクセス情報識別子に基づき、ネットワークを介して収納箱管理サイト９に接続し、収納箱管理サイト９は、ユーザが、収納物２に関する情報の入力及び閲覧を行うことが可能であり、情報は、ネットワーク上のクラウドサーバ１０に記憶される。
よって、携帯端末８を用いて容易にアクセス可能であり、収納箱１に収納された収納物２の画像情報及び付帯情報を管理可能な収納箱管理サイト９を用いることで、収納箱１内に減圧圧縮して収納した収納物２を収納箱１外に取り出すことなく、収納箱１内に収納された収納物２が何かを判別できる。また、携帯端末による収納物の情報管理が可能となる。
【００２１】
また、クラウドサーバ１０は、記憶された収納箱１に収納された収納物２の画像情報及び付帯情報の管理期限日を、予め設定された管理期限から算出し、算出された管理期限日が近づいたことを、ユーザに対し、算出された管理期限日の半年前、１ヶ月前、及び当日に通知する。
よって、ユーザが、収納物管理システムを用いて収納箱１に収納された収納物２の管理ができなくなるような事態を防ぐことができる。
【００２２】
以上は、本考案を図示例に基づいて説明したものであり、その技術範囲はこれに限定されるものではない。例えば、収納箱は、圧縮袋を有し、収納空間を閉じることができれば良く、形状及び大きさは限定されない。また、収納箱は、圧縮袋が複数あっても良いし、箱体に取手が設けられている等しても良い。
また、圧縮袋の形状及び大きさは任意に設定可能であり、圧縮袋を減圧圧縮するための方法及び手段には、周知の方法及び手段を利用できる。
また、二次元コードは、箱体の外面に配置されていれば良く、配置位置、大きさは任意に設定可能である。
また、携帯端末に表示される収納箱管理サイトの構成及びデザインは、図示したものに限定されず、任意に設計可能である。
また、収納箱管理サイトは、画像情報及び付帯情報に限らず、例えば音声情報等を入力及び閲覧できるようにしても良い。
また、クラウドサーバによる情報の管理期限は、任意に設定できる。
【符号の説明】
【００２３】
１・・収納箱、２・・収納物、３・・箱体、４・・収納空間、５・・圧縮袋、７・・二次元コード、８・・携帯端末、８ａ・・読取手段、９・・収納箱管理サイト、１０・・クラウドサーバ。
【図１】
0003231811.tif 000003
【図２】
0003231811.tif 000004
【図３】
0003231811.tif 000005
【図４】
0003231811.tif 000006
【図５】
0003231811.tif 000007
【図６】
0003231811.tif 000008